(57)【要約】【課題】単純な回路構成で規模も小さい交差偏波干渉補償装置を提供する。【解決手段】交差偏波干渉補償における送信フレームを生成するフレーミング回路１００，１１０に、フレーム初期化信号ｃにより垂直、水平偏波同時に初期化を行なうことができる初期化機能を設ける。また、受信側の復調器２０１，２１１の後に自偏波および異偏波用のフレームの位相を検出するフレーム検出回路２０４，２０５，２１４，２１５と、それらのフレーム位相を比較するフレーム比較回路２０６，２１６と、フレーム比較回路の情報により遅延を調整することのできるシフトレジスタ２０３，２１３を設ける。これにより、送信する垂直、水平偏波のフレーム位相をそろえ、受信側でそのフレームの位相差が等しくなるよう遅延を調整する。【選択図】        図１
2004201154.tif 000002
【特許請求の範囲】
【請求項１】
異偏波から自偏波への干渉除去を行う交差偏波干渉補償装置において、
送信フレームを生成するフレーミング回路に垂直偏波無線フレーム信号と水平偏波無線フレーム信号の位相を一時的に合わせることができる初期化機能を設けたことと、
受信側の復調の後に自偏波および干渉補償用異偏波の無線フレーム信号のフレーム位相を検出するフレーム検出回路と、
前記フレーム検出回路が検出したフレーム位相を比較するフレーム比較回路と、
前記フレーム比較回路からの情報により前記自偏波と干渉補償用異偏波の遅延を調整することができるシフトレジスタとを設けたことを特徴とする交差偏波干渉補償装置。
【請求項２】
前記初期化機能は、
干渉補償信号の遅延調整を行いたい場合に受信側で制御要求信号を出力する制御回路と、
前記制御要求信号を垂直偏波無線フレーム信号と水平偏波無線フレーム信号の少なくとも一方に多重化する多重化回路と、
前記制御要求信号が多重化された垂直偏波無線フレーム信号または水平偏波無線フレーム信号を対向する無線通信機で受信し復調した後に、前記制御要求信号を検出すると前記フレーミング回路へフレーム初期化信号を出力する分離回路とにより実行することを特徴とする請求項１に記載の交差偏波干渉補償装置。
【請求項３】
前記遅延調整は、干渉補償信号の遅延調整を行いたい受信側において前記フレーム比較回路が自偏波と干渉補償用異偏波の位相の一致を検出すると、前記制御回路に位相一致信号を出力して前記制御要求信号を停止することにより完了することを特徴とする請求項２に記載の交差偏波干渉補償装置。
【請求項４】
前記初期化機能は、干渉補償信号の遅延調整を行いたい場合に送信側の前記フレーミング回路へフレーム初期化信号を出力するスイッチにより実行することを特徴とする請求項１に記載の交差偏波干渉補償装置。
【請求項５】
受信側の前記フレーム比較回路が自偏波と干渉補償用異偏波の位相の一致を検出すると出力する位相一致信号により点灯する発光ダイオードと、
前記発光ダイオードの点灯により前記シフトレジスタの制御を固定するためのスイッチとを設け、
前記遅延調整は該スイッチを作動させることにより完了することを特徴とする請求項４に記載の交差偏波干渉補償装置。
【請求項６】
前記受信側の復調の後に自偏波を前記シフトレジスタの最大遅延の半分だけ遅延させる遅延回路を設け、該遅延回路から出力される自偏波に、前記シフトレジスタから出力される干渉補償用異偏波を加算することにより前記干渉除去を行うことを特徴とする請求項１ないし請求項５のいずれかに記載の交差偏波干渉補償装置。
【発明の詳細な説明】
【０００１】
【発明の属する技術分野】
本発明は、デジタルマイクロ波伝送装置で使用される交差偏波干渉補償装置、特に伝搬経路長差によって生じる伝搬遅延時間を調整するための回路に関する。
【０００２】
【従来の技術】
デジタルマイクロ波伝送装置では周波数の有効利用を図るべく交差偏波方式が利用されている。この場合、降雨等の伝搬障害が発生すると、伝搬媒体の異方性のため交差波間に干渉が生じる。交差偏波干渉を補償するには、干渉波の経路である異偏波の送信器から自偏波の復調器までの経路長と、干渉補償信号の経路である異偏波の送信器から交差偏波干渉補償器までの経路長を等しくすることが必要となる。すなわち、最適な干渉波成分の除去を行なうために、干渉波成分と干渉補償信号の遅延時間を等しくすることが必要である。
【０００３】
その一般的な調整方法は、先ず、実際の経路による遅延時間を測定器により測定して、それぞれの測定結果により遅延時間差を算出する。そして、その遅延時間差を補正するために異偏波の受信器から交差偏波干渉補償器までのケーブルの長さを調整するというものである。しかし、これでは作業が煩雑であり、また送信機や受信機の設置位置を変更する毎に調整作業が必要とされるので、調整作業を簡略化できる方式が提案されている（例えば、特許文献１参）。
【０００４】
この交差偏波干渉補償方式は、自偏波と異変波の送信器から同一データを送信する機能を設ける。受信側には、自偏波側の信号と異偏波側の信号との位相を比較する手段を設け、位相比較の結果に基づいて両偏波の信号の位相を一致させることで、両偏波の経路長を自動的に等しくしている。
【０００５】
【特許文献１】
特開平９−２７０７６４（第１頁−第４頁、図１）
【０００６】
【発明が解決しようとする課題】
しかしながら、上述した従来技術では、送信側において、調整作業中は同じ変調信号をそれぞれ異なる偏波信号として送信するが、変調信号は通常高速な信号であって取扱いに十分な注意が必要となる。例えば、調整作業中は変調信号が分配されるため、分配が不要な運用中と同レベルにするには、分配する側では変調信号の出力レベルを調整する必要がある。更に、分配される側では、本来の自偏波の変調信号とのアイソレーションが必要であるが、変調信号はアナログ信号であるので困難が伴う。
【０００７】
また、受信側においては、自偏波側の信号と異偏波側の信号と位相の比較は、それぞれの復調信号自体を例えば排他的論理回路で比較して、比較結果が同じである状態が規定回数連続すると同位相、そうでない場合は位相が相違すると判断する。これでは、位相が遅れているのか、進んでいるのか不明である。そこで、シフトレジスタで異偏波側の信号の遅延量を減らす方向を変化させ、位相が一致しなければ増やす方向へ変化させる。
【０００８】
以上のように、送信側，受信側共に複雑な動作が必要になるので、回路の構成も複雑化し、したがって回路の規模が大きくなるという問題点がある。
【０００９】
本発明の目的は、単純な回路構成で規模も小さい交差偏波干渉補償装置を提供することにある。
【００１０】
【課題を解決するための手段】
本発明の交差偏波干渉補償装置は、異偏波から自偏波への干渉除去を行う交差偏波干渉補償装置において、送信フレームを生成するフレーミング回路に垂直偏波無線フレーム信号と水平偏波無線フレーム信号の位相を一時的に合わせることができる初期化機能を設けたことと、受信側の復調の後に自偏波および干渉補償用異偏波の無線フレーム信号のフレーム位相を検出するフレーム検出回路と、フレーム検出回路が検出したフレーム位相を比較するフレーム比較回路と、フレーム比較回路からの情報により自偏波と干渉補償用異偏波の遅延を調整することができるシフトレジスタとを設けたことを特徴とする。
【００１１】
本発明では、送信側の無線フレームの位相を一時的に合わせ、受信側でその位相差を検出することで自偏波と干渉補償用異偏波の遅延時間差を認識し、最適な干渉除去が行なえるよう遅延調整を行なうものである。
【００１２】
より具体的には、送信側のフレーミング回路は、自偏波および異偏波同時に初期化することが可能で初期化後は位相が一致した無線フレームが出力される。受信側では、自偏波の復調器の後段と異偏波の交差偏波干渉補償器の後段にフレーム検出回路を設け、無線フレームの位相検出を行う。自偏波と干渉補償用異偏波の２種のフレーム位相をフレーム比較回路で比較し、その位相差情報で干渉波成分側に設けた（特に干渉波成分側である必要ない）シフトレジスタを制御し、干渉波成分側の位相を自偏波に一致させるという動作（作用）を実行する。
【００１３】
初期化機能は、干渉補償信号の遅延調整を行いたい場合に受信側で制御要求信号を出力する制御回路と、制御要求信号を垂直偏波無線フレーム信号と水平偏波無線フレーム信号の少なくとも一方に多重化する多重化回路と、制御要求信号が多重化された垂直偏波無線フレーム信号または水平偏波無線フレーム信号を対向する無線通信機で受信し復調した後に、制御要求信号を検出するとフレーミング回路へフレーム初期化信号を出力する分離回路とにより実行し、更に、遅延調整は、干渉補償信号の遅延調整を行いたい受信側においてフレーム比較回路が自偏波と干渉補償用異偏波の位相の一致を検出すると、制御回路に位相一致信号を出力して制御要求信号を停止することにより完了するようにしてもよい。
【００１４】
また、初期化機能は、干渉補償信号の遅延調整を行いたい場合に送信側のフレーミング回路へフレーム初期化信号を出力するスイッチにより実行し、更に、受信側のフレーム比較回路が自偏波と干渉補償用異偏波の位相の一致を検出すると出力する位相一致信号により点灯する発光ダイオードと、発光ダイオードの点灯によりシフトレジスタの制御を固定するためのスイッチとを設け、遅延調整は該スイッチを作動させることにより完了するようにしてもよい。
【００１５】
また、受信側の復調の後に自偏波をシフトレジスタの最大遅延の半分だけ遅延させる遅延回路を設け、該遅延回路から出力される自偏波に、シフトレジスタから出力される干渉補償用異偏波を加算することにより干渉除去を行うことが望ましい。
【００１６】
【発明の実施の形態】
本発明の上記の目的，特徴および利点を明確にすべく、以下、添付した図面を参照しながら、本発明の実施の形態につき詳細に説明する。
【００１７】
本発明は、送信側の無線フレームの位相を一時的に合わせ、受信側でその位相差を検出することで自偏波と異偏波の遅延時間差を認識し、最適な干渉除去が行なえるよう遅延調整を行なうものである。
【００１８】
図１は本発明による交差偏波干渉補償装置を備えた通信システムの基本構成を示すブロック図である。図１では、図面の煩雑化を回避するために、アンテナ１０からデジタルマイクロ波を送信する送信部１と、アンテナ２０によりデジタルマイクロ波を受信する受信部２とを分離して示しているが、無線通信機としては送信部１と受信部２とを併せ持つ。また、交差偏波干渉補償装置は送信部１と受信部２とにまたがって存在する。
【００１９】
送信部１は、Ｖ偏波用のフレーミング回路１００，変調器１０１および送信器１０２と、Ｈ偏波用のフレーミング回路１１０，変調器１１１および送信器１１２とを備えている。フレーミング回路１００はＶ偏波用送信ベースバンド信号を無線フォーマットにフレーミングしてＶ偏波無線フレーム信号ａ、フレーミング回路１１０はＨ偏波用送信ベースバンド信号を無線フォーマットにフレーミングしてＨ偏波無線フレーム信号ｂに変換する。変調器１０１はＶ偏波無線フレーム信号ａを変調してＶ偏波ＩＦ信号、変調器１０１はＨ偏波無線フレーム信号ｂを変調してＨ偏波ＩＦ信号とする。送信器１０２はＶ偏波ＩＦ信号をＶ偏波ＲＦ信号、送信器１１２はＨ偏波ＩＦ信号をＨ偏波ＲＦ信号にそれぞれ変換してアンテナ１０からデジタルマイクロ波として送信する。
【００２０】
フレーミング回路１００，１１０は、フレーム初期化信号ｄの入力が無い場合には、それぞれは異偏波の無線フレーム信号とは無関係に自偏波の無線フレーム信号を出力する。したがって、通常は、自偏波の無線フレーム信号と異偏波の無線フレーム信号の位相が一致していないことが多い。しかし、フレーム初期化信号ｄが入力すると、フレーミング回路１００，１１０は、出力するＶ偏波無線フレーム信号ａとＨ偏波無線フレーム信号ｂの位相を一致させる。なお、フレーム初期化信号ｄについては後述する。
【００２１】
受信部２は、Ｖ偏波用の受信器２００，復調器２０１，交差偏波干渉補償器２０２，シフトレジスタ２０３，２つのフレーム検出回路２０４，２０５，フレーム比較回路２０６および加算器２０７と、Ｈ偏波用の受信器２１０，復調器２１１，交差偏波干渉補償器２１２，シフトレジスタ２１３，２つのフレーム検出回路２１４，２１５，フレーム比較回路２１６および加算器２１７とを備えている。
【００２２】
受信器２００はアンテナ２０によりＶ偏波ＲＦ信号を受信してＶ偏波ＩＦ信号に変換し、受信器２１０はアンテナ２０によりＨ偏波ＲＦ信号を受信してＨ偏波ＩＦ信号に変換する。復調器２０１はＶ偏波ＩＦ信号を復調してＶ偏波無線フレーム信号を出力し、復調器２１１はＨ偏波ＩＦ信号を復調してＨ偏波無線フレーム信号を出力する。交差偏波干渉補償器２０２は受信器２１０からのＨ偏波ＩＦ信号，交差偏波干渉補償器２１２は受信器２００からのＶ偏波ＩＦ信号を復調した後、トランスバーサルフィルタを使用し、異偏波信号の干渉補償成分である干渉補償信号を生成する。
【００２３】
シフトレジスタ２０３は、交差偏波干渉補償器２０２からの干渉補償信号ｇを遅延させ、復調器２０１から出力される自偏波であるＶ偏波無線フレーム信号との遅延調整を行なう。また、シフトレジスタ２１３は、交差偏波干渉補償器２１２からの干渉補償信号を遅延させ、復調器２１１から出力される自偏波であるＨ偏波無線フレーム信号との遅延調整を行なう。
【００２４】
フレーム検出回路２０４は、遅延回路２０８からのＶ偏波無線フレーム信号の先頭を示すフレームタイミング信号ｆを検出して、フレーム比較回路２０６および分離回路２０Ａへ出力する。また、フレーム検出回路２１４は、遅延回路２１８からのＨ偏波無線フレーム信号の先頭を示すフレームタイミング信号を検出して、フレーム比較回路２１６へ出力する。
【００２５】
フレーム検出回路２０５は、シフトレジスタ２０３から出力される干渉補償信号の無線フレーム信号の先頭を示すフレームタイミング信号ｈを検出してフレーム比較回路２０６へ出力する。また、フレーム検出回路２１５は、シフトレジスタ２１３から出力される干渉補償信号の無線フレーム信号の先頭を示すフレームタイミング信号を検出してフレーム比較回路２１６へ出力する。
【００２６】
遅延調整が完了している場合、フレーム初期化信号ｄ入力時には、Ｖ偏波ＲＦ信号とＨ偏波ＲＦ信号は同位相で送信されてくるので、自偏波のフレームの位相は異偏波からの干渉波成分の位相と一致している。
【００２７】
フレーム比較回路２０６は、フレーム検出回路２０４からのフレームタイミング信号と２０５からのフレームタイミング信号を比較する。また、フレーム比較回路２１６は、フレーム検出回路２１４からのフレームタイミング信号と２１５からのフレームタイミング信号を比較する。これにより、自偏波と干渉補償信号の位相差、すなわち干渉波成分と干渉補償信号の位相差を判定する。それぞれの比較の結果は、制御信号としてシフトレジスタ２０３，２１３にフィードバックされ遅延量に反映される。
【００２８】
加算器２０７，２１７は、それぞれ復調した自偏波（復調器２０１，２１１出力）に干渉補償信号（シフトレジスタ２０３，２１３出力）を加算することによって、自偏波に混入している異偏波からの干渉波成分を取り除く。
【００２９】
以上のように、送信側のフレーミング回路１００，１１０は、フレーム初期化信号ｄの入力により自偏波および異偏波同時に初期化することが可能であり、初期化後は位相が一致した無線フレームが出力される。
【００３０】
受信側では、自偏波の復調器２０１，２１１の後段にフレーム検出回路２０４，２１４、異偏波の交差偏波干渉補償器２０２，２１２の後段にフレーム検出回路２０５，２１５を設け、無線フレーム信号の位相検出を行う。自偏波と干渉補償信号のフレーム位相をフレーム比較回路２０６，２１６で比較し、その位相差情報で干渉補償信号側に設けたシフトレジスタ２０３，２１３における遅延量を制御し、干渉補償信号側の位相を自偏波の位相に一致させる。なお、シフトレジスタ２０３，２１３は、特に干渉補償信号側である必要はなく、自偏波側に設けてもよい。
【００３１】
従って、加算器２０７，２１７は、自偏波と干渉補償信号の位相がぴったり一致し、最適な干渉除去を行なったＶ偏波受信ベースバンド信号，Ｈ偏波受信ベースバンド信号を出力することができるようになる。
【００３２】
【実施例の構成】
図２は、本発明の交差偏波干渉補償装置の一実施例を示すブロック図である。図２は、図１による理解に基づき、送信部と受信部とを一体化した無線通信機として示している。すなわち、図１の送信部１と受信部２とを折り重ねた形で示したものである。本実施例は、送信用のフレーミング回路１００，１１０の初期化を対向する無線通信機からの制御で行なう機能を有する例である。
【００３３】
図２では、図１に対して、多重化回路１０３，遅延回路２０８，２１８と、デフレーミング回路２０９，２１９と、分離回路２０Ａと、制御回路２０Ｂとが追加されている。図１におけるのと同一の参照番号が付された構成要素は、図１における上述の機能と同一の機能を有するので、追加された構成要素と関連する点を除いては、その機能の説明を省略する。
【００３４】
制御回路２０Ｂは、干渉補償信号の遅延調整を行いたい場合に、多重化回路１０３と２つのシフトレジスタ２０３，２１３へ制御要求信号ｃを出力する。遅延調整を行いたい場合とは、無線通信機を新たに設置したり、無線通信機の設置位置を変更したり、電源を投入した場合である。遅延調整の結果、フレーム比較回路２０６および２１６から位相一致信号を受けると制御要求信号ｃの出力を停止する。
【００３５】
多重化回路１０３は、制御要求信号ｃを受けると、フレーミング回路１００からのＶ偏波無線フレーム信号ａのフォーマット中の付加情報部に制御要求信号ｃを多重化して変調器１０１へ出力する。シフトレジスタ２０３，２１３は、制御回路２０Ｂからの制御要求信号ｃが入力した場合にはフレーム比較回路２０６，２１６からの制御信号によって遅延量が制御される。制御要求信号ｃの入力が無い場合は制御されず、設定済みの遅延量を保持する。
【００３６】
遅延回路２０８は復調器２０１からのＶ偏波無線フレーム信号ｅを遅延させ、遅延回路２１８は復調器２１１からのＨ偏波無線フレーム信号を遅延させる。その遅延時間は、シフトレジスタ２０３，２１３を構成するメモリのビット数の半分のビット数で定まるだけとする。そうすることにより、干渉補償信号が自偏波に比べ進んでいるとき、遅れているときの両方に対応することができる。遅延回路２０８の出力はフレーム検出回路２０４，加算器２０７および分離回路２０Ａへ供給され、遅延回路２０８の出力はフレーム検出回路２０４および加算器２０７へ供給される。
【００３７】
分離回路２０Ａは、フレーム検出回路２０４からのフレームタイミング信号ｆを使用して、遅延回路２０８から入力する無線フレーム信号の中に付加情報である制御要求信号を検出すると、フレーム初期化信号ｄをフレーミング回路１００，１１０へ出力する。
【００３８】
以上の構成要素によって最適な遅延調整が行なわれた結果を受けて、加算器２０７，２１７では、自偏波の無線フレーム信号から干渉波成分が取り除かれる。最後に、デフレ−ミング回路２０９，２１９は無線フレーム信号をベースバンド信号に変換して出力する。
【００３９】
【実施例の動作】
次に、以上のように構成された本実施例の動作につき、図３に示すタイミングチャートを参照して説明する。以下の説明では、無線通信機Ａと無線通信機Ｂとの間で無線通信を行うこととし、図３において、Ｖ偏波無線フレーム信号ａ，Ｈ偏波無線フレーム信号ｂおよびフレーム初期化信号ｄは無線通信機Ａ側の信号、制御要求信号ｃ，Ｖ偏波無線フレーム信号ｅ，干渉補償信号ｇ，２つのフレームタイミング信号ｆ，ｈおよび位相一致信号ｉは無線通信機Ｂ側の信号とする。また、Ｖ偏波用回路とＨ偏波用回路とで同様な動作については、一方の説明を割愛することがある。
【００４０】
無線通信機Ａにおいて、Ｖ偏波用送信ベースバンド信号はＶ偏波無線フレーム信号ａに変換され、Ｈ偏波用送信ベースバンド信号はフレーミング回路１１０にてＨ偏波無線フレーム信号ｂに変換され、それぞれＶ偏波ＲＦ信号，Ｈ偏波ＲＦ信号としてアンテナ１０から無線通信機Ｂへ送信される。
【００４１】
図３のタイミングｔ０までは、異偏波との遅延調整を行うための制御要求信号ｃが制御回路２０Ｂから出力されていない。この状態では、フレーミング回路１００からのＶ偏波無線フレーム信号ａがそのまま多重化回路１０３から出力される。また、フレーム初期化信号ｄの入力もないので、Ｖ偏波無線フレーム信号ａと、フレーミング回路１１０からのＨ偏波無線フレーム信号ｂとの位相ずれたままであることが多い。
【００４２】
無線通信機Ｂ側では、Ｖ偏波ＲＦ信号，Ｈ偏波ＲＦ信号は前述のようにして変換および復調されてＶ偏波無線フレーム信号，Ｈ偏波無線フレーム信号となり、遅延回路２０８，２１８にて遅延が加えられて、加算用のＶ偏波無線フレーム信号，Ｈ偏波無線フレーム信号となる。遅延回路２０８，２１８の遅延量はシフトレジスタ２０３，２１３の可変量の半分である。
【００４３】
Ｖ偏波ＩＦ信号は交差偏波干渉補償器２１２、Ｈ偏波ＩＦ信号は交差偏波干渉補償器２０２に入力する。交差偏波干渉補償器２０２，２１２は、復調器２０１，２１２と同様に異偏波のＩＦ信号を復調し、更にフィルタを経由させることで干渉補償信号を生成する。干渉補償信号はシフトレジスタ２０３，２１３を経由して加算用の干渉波無線フレーム信号となる。
【００４４】
タイミングｔ０までは、Ｖ偏波無線フレーム信号ｅと、Ｈ偏波ＩＦ信号から生成される干渉補償信号ｇとの位相もずれ、フレーム検出回路２０４，２０５から出力されるそれぞれのフレームタイミング信号ｆ，ｈも同様である。この結果、フレーム比較回路２０６は制御信号をシフトレジスタ２０３ヘ出力する。しかし、シフトレジスタ２０３は、制御要求信号ｃの入力がないため、遅延量が制御されず、設定済みの遅延量を保持した干渉補償信号Ｇを出力する。
【００４５】
以上の説明はＨ偏波側についても同様である。また、分離回路２０Ａは、遅延回路２０８から入力する無線フレーム信号の中に付加情報である制御要求信号ｃを検出することがないため、フレーム初期化信号ｄを出力しない。
【００４６】
加算器２０７は、遅延回路２０８からの出力であるＶ偏波無線フレーム信号と、シフトレジスタ２０３の出力である干渉補償信号Ｇを加算し、これによりＶ偏波無線フレーム信号に混入しているＨ偏波からの干渉波成分を取り除こうとする。また、加算器２１７は遅延回路２１８の出力であるＨ偏波無線フレーム信号と、シフトレジスタ２１３の出力である干渉補償信号を加算し、これによりＨ偏波無線フレーム信号に混入しているＶ偏波からの干渉波成分を取り除こうとする。
【００４７】
最後に、デフレーミング回路２０９はＶ偏波無線フレーム信号をベースバンド信号に変換してＶ偏波用受信ベースバンド信号として出力し、デフレーミング回路２０９はＨ偏波無線フレーム信号をベースバンド信号に変換してＨ偏波用受信ベースバンド信号として出力する。これによって一連の信号伝送が完了する。
【００４８】
以上の処理によっては、干渉波成分と干渉補償信号との位相調整が行われていないため、位相がずれたまま放置されいるので、十分に異偏波からの干渉を取り除くことができていないことが多い。そこで、異偏波との遅延調整が必要になると無線通信機Ｂにおいて制御回路２０Ｂを起動する。
【００４９】
タイミングｔ０において制御回路２０Ｂから制御要求信号ｃがシフトレジスタ２０３，２１３と多重化回路１０３に対して出力される。多重化回路１０３においてはＶ偏波無線フレーム信号ａに制御要求の付加情報が多重化され、アンテナ２０から送信される。
【００５０】
対向装置である無線通信機Ａは、アンテナ１０でＶ偏波ＲＦ信号を受信し、受信器２００にてＶ偏波ＲＦ信号をＶ偏波ＩＦ信号へ変換する。復調器２０１は、Ｖ偏波ＩＦ信号を復調し、Ｖ偏波無線フレーム信号に変換する。Ｖ偏波無線フレーム信号は遅延回路２０８を経て分離回路２０Ａへ入力し、分離回路２０Ａは付加情報である制御要求信号を検出し、タイミングｔ１においてフレーム初期化信号ｄを出力する。
【００５１】
無線通信機Ａのフレーミング回路１００，１１０は、フレーム初期化信号ｄのタイミングｔ１において同時に初期化される。この結果、フレーム初期化信号ｄの立下り後に出力するＶ偏波無線フレーム信号ａとＨ偏波無線フレーム信号ｂは同一の位相となる。
【００５２】
この同一タイミングで出力されたＶ偏波無線フレーム信号ａ，Ｈ偏波無線フレーム信号ｂは、それぞれの伝搬路を経由して変調され変換されＶ偏波ＲＦ信号，Ｈ偏波ＲＦ信号となって、無線通信機Ｂのアンテナ１０に到る。すなわち、Ｖ偏波無線フレーム信号ａは、多重化回路１０３を経由し、変調器１０１でＶ偏波ＩＦ信号に変調され、送信器１０２でＶ偏波ＲＦ信号に変換されてアンテナ１０に入力する。一方、Ｈ偏波無線フレーム信号ｂは、変調器１１１でＨ偏波ＩＦ信号に変調され、送信器１１２でＨ偏波ＲＦ信号に変換されてアンテナ１０に入力する。
【００５３】
無線通信機Ｂ側では、受信・変換・変調されたＶ偏波無線フレーム信号ｅについてフレーム検出回路２０４が検出したフレームタイミング信号ｆの立上りはｔ２であり、受信・変換・変調された干渉補償信号Ｇについてフレーム検出回路２１４が検出したフレームタイミング信号ｈの立上りはｔ３である。フレーム比較回路２０６は、タイミングｔ２とｔ３の位相差に比例した遅延情報を有する制御信号をシフトレジスタ２０３，２１３に出力する。例えば、タイミングｔ２がｔ３より２ビット分だけ進んでいるとすると、遅延情報はシフトレジスタ２０３の遅延量を２ビット分だけ減少させるものとなる。
【００５４】
この場合は、制御要求信号ｃがシフトレジスタ２０３，２１３に入力しているので、シフトレジスタ２０３，２１３において遅延調整が行なわれる。すなわち、シフトレジスタ２０３は、フレーム比較回路２０６からの制御信号により、干渉補償信号ｇを遅延させる。
【００５５】
図３のタイミングｔ２とタイミングｔ３とではＶ偏波無線フレーム信号ｅの方が干渉補償信号Ｇより進んでいるため、シフトレジスタ２０３における遅延量を減少させる。この遅延調整の結果を受けて、更にフレーム比較回路２０６において、フレームタイミングｆ，ｈの比較が行われる。実際、タイミングｔ４とタイミングｔ５とでは、タイミングｔ２とタイミングｔ３の位相差より圧縮されていることが分かる。しかし、まだフレームタイミングｆ，ｈは一致していないので、上述の遅延調整が続行される。
【００５６】
タイミングｔ６に到って、フレームタイミングｆ，ｈは一致しているため、フレーム比較回路２０６は位相位相一致信号ｉを制御回路２０Ｂへ出力する。これにより、制御回路２０Ｂは制御要求信号ｃを停止する。したがって、シフトレジスタ２０３における遅延調整も停止する。これ以後は、この位相調整状態で無線通信機Ａ，Ｂが使用される。
【００５７】
加算器２０７では、加算用のＶ偏波無線フレーム信号に、位相の一致した加算用の干渉波無線フレーム信号を加算する。したがって、干渉波成分と干渉補償信号の位相も一致することになるので、自偏波信号から干渉波成分を取り除くことができる。
【００５８】
この本実施例では、無線の付加情報信号を使用して、対向する無線通信機から出力されるＶ偏波無線フレーム信号とＨ偏波無線フレーム信号の位相を一致させることができるので、位相調整作業を一人で行なうことが可能となる。
【００５９】
【他の実施例】
本発明の他の実施例として、その基本的な構成は上述の実施例と同じであるが、フレーミング回路の初期化方法とシフトレジスタの制御をより簡単化した交差偏波干渉補償装置の構成を図４に示す。
【００６０】
本実施例では、送信側で自偏波と異偏波の無線フレーム信号の位相を一致させるための手段として単純なスイッチ１０４を使用してフレーム初期化信号ｄの生成を行っている。また、フレーム比較回路２０６，２１６における無線フレーム信号の比較結果を発光ダイオード（ＬＥＤ）２０Ｃおよび２１Ｃで識別し、更にシフトレジスタ２０３，２１３の制御許可をスイッチ２０Ｄ，２１Ｄで手動設定することにより回路の簡略化を図っている。
【００６１】
スイッチ１０４は、図２における制御回路２０Ｂの代って、フレーミング回路１００，１１０を初期化する。ＬＥＤ２０Ｃ，２１Ｃはフレーム比較回路２０６，２１６からの位相一致信号ｉにより点灯する。また、スイッチ２０Ｄ，２１Ｄはフレーム比較回路２０６，２１６からの制御信号による制御有効の許可を与えるものである。
【００６２】
基本的な動作は、第１実施例と同様であるので、以下、第１実施例と異なる部分のみを記載する。
【００６３】
フレーミング回路１００，１１０を初期化する場合は、スイッチ１０４を操作し、フレーミング回路１００，１１０へフレーム初期化信号ｄを出力する。スイッチ１０４はプッシュオン型を使えば、一度押して直ぐ手を離せばよい。これにより、第１実施例におけるのと同様に、フレーミング回路１００，１１０が同時に初期化され、Ｖ偏波無線フレーム信号ａとＨ偏波無線フレーム信号ｂの位相が一致する。
【００６４】
受信部２においては、発光ダイオード２０Ｃ，２１Ｃの点灯状態を確認し、消灯している場合は一致していないことが分かる。その場合は、スイッチ２０Ｄ，２１Ｄをオンにして、シフトレジスタ２０３，２１３に対する制御信号を有効にし制御の許可を与えることができる。シフトレジスタ２０３，２１３は、フレーム比較回路２０６，２１６からの制御信号によって遅延量が設定される。
【００６５】
シフトレジスタ２０３，２１３による遅延調整により、加算用の干渉波無線フレーム信号の位相が加算用の自偏波無線フレーム信号の位相に一致すると、フレーム比較回路２０６，２１６から位相一致信号が出力され、発光ダイオード２０Ｃ，２１Ｃが点灯する。発光ダイオード２０Ｃ，２１Ｃの点灯は、２つの偏波間の遅延調整が完了したことを示しているので、シフトレジスタ２０３，２１３の制御を固定するために、スイッチ２０Ｄ，２１Ｄをオフとすれば遅延調整は完了する。
【００６６】
本実施例の動作タイミングは、図３に示したタイミングチャートと変わるところがない。
【００６７】
また、図４に示した構成から、シフトレジスタ２０３，２１３に対する制御許可用のスイッチ２０Ｄ，２１Ｄと、フレーム比較回路２０６，２１６からのシフトレジスタ２０３，２１３に対する制御信号を削除し、発光ダイオード２０Ｃ，２１Ｃの点灯を確認しながらシフトレジスタ２０３，２１３の遅延設定を手動で行っても同様の効果を得ることができる。
【００６８】
また、第１実施例では、Ｖ偏波無線フレーム信号ｅから付加情報を分離するための分離回路２０Ａを加算器２０７に前置したが、分離回路２０Ａを加算器２０７の後段に配置、すなわち加算器２０７で干渉波成分を除去した後の信号から付加情報を分離するようにしてもよい。
【００６９】
また、第１実施例では、Ｈ偏波信号側には多重化回路および分離回路を設けていないが、Ｖ偏波信号側と同様に多重化回路と分離回路を設けることにより、多くの付加情報を伝送する構成としてもよい。
【００７０】
【発明の効果】
以上、詳細に説明したように、本発明は、自偏波の位相と異偏波から生成される干渉補償信号の位相とを、それらの無線フレーム信号の先頭を示すタイミング信号を使用して合わせ、その後に、自偏波と干渉補償信号を加算器に入力して干渉波成分を除去する構成としたため、位相のずれの方向と大きさとを直接把握できるようになるので、単純な回路構成により最適な交差偏波干渉補償装置の実現が可能になるという効果を得ることができる。
【図面の簡単な説明】
【図１】本発明の交差偏波干渉補償装置を備えた通信システムの基本構成を示すブロック図
【図２】本発明の交差偏波干渉補償装置を備えた無線通信機の第１実施例のブロック図
【図３】本発明の交差偏波干渉補償装置の動作例を示すタイミングチャート
【図４】本発明の交差偏波干渉補償装置を備えた無線通信機の第２実施例のブロック図
【符号の説明】
１                  送信部
２                  受信部
１０，２０          アンテナ
１００，１１０      フレーミング回路
１０１，１１１      変調器
１０２，１１２      送信器
１０４              スイッチ
２００，２１０      受信器
２０１，２１１      変調器
２０２，２１２      交差偏波干渉補償器
２０３，２１３      シフトレジスタ
２０４，２１４      フレーム検出回路
２０５，２１５      フレーム検出回路
２０６，２１６      フレーム比較回路
２０７，２１７      加算器
２０８，２１８      遅延回路
２０９，２１９      デフレーミング回路
２０Ａ              分離回路
２０Ｂ              制御回路
２０Ｃ，２１Ｃ      発光ダイオード
２０Ｄ，２１Ｄ      スイッチ
【図１】
2004201154.tif 000003
【図２】
2004201154.tif 000004
【図３】
2004201154.tif 000005
【図４】
2004201154.tif 000006